(57)【特許請求の範囲】
【請求項１】
画像を表示する表示パネルと、
該表示パネルの周縁部を覆う矩形枠状のキャビネットと
を備える表示装置において、
前記キャビネットは、矩形枠の各辺を構成する部材の端部同士を突き合わせて連結して構成してあり、
各部材の端部は板状部分を含み、該板状部分は板幅よりも幅狭な厚肉部を有し、
該厚肉部には、相互に係合して夫々の部材の相対移動を規制する規制部が設けてあり、
該規制部は、
一方の部材に設けられ、前記端部から長手方向に突出し、夫々突出長又は先端形状が異なる複数の突起部及び、
他方の部材に設けられ、前記複数の突起部夫々の差し込みが可能に設けられた複数の穴部とを有すること
を特徴とする表示装置。
【請求項２】
前記他方の部材は、前記端部から長手方向に突出する第２突起部を更に備え、
前記一方の部材は、前記第２突起部と係合する第２突起受け部とを更に備えること
を特徴とする請求項１に記載の表示装置。
【請求項３】
画像を表示する表示パネルと、
該表示パネルの周縁部を覆う矩形枠状のキャビネットと
を備える表示装置において、
前記キャビネットは、矩形枠の各辺を構成する部材の端部同士を突き合わせて連結して構成してあり、
各部材の端部には、相互に係合して夫々の部材の相対移動を規制する規制部が設けてあり、
該規制部は、
一方の部材に設けられ、前記端部から長手方向に突出し、先端に二股部を有する突起部と、
他方の部材に設けられ、前記突起部の差し込みが可能な孔部を有し、
前記突起部は、前記孔部を貫通してあり、
前記孔部より突出してある前記二股部の一方と他方との離隔長は、前記孔部の寸法よりも大きい部分を含むこと
を特徴とする表示装置。
【請求項４】
請求項１から請求項３までのいずれか一項に記載の表示装置と、
テレビジョン放送を受信する受信部と
を備え、
該受信部にて受信したテレビジョン放送に基づいて、前記表示装置に画像を表示するようにしてあること
を特徴とするテレビジョン受信装置。
【発明の詳細な説明】
【技術分野】
【０００１】
本発明は、映像を表示する表示装置及び該表示装置を備えたテレビジョン受信装置に関する。
【背景技術】
【０００２】
従来、テレビジョン受信装置において、キャビネットには、見栄えを良くし、高級感を与えるため、アルミニウムを用いる場合がある。アルミニウムを用いたキャビネットは、４本のフレーム部材から構成されている。各フレーム部材を形成するには、押し出し加工が用いられている。
【０００３】
このような構成の場合、フレーム部材を組み合わせて、キャビネットを形成するため、加工誤差により、フレーム部材間の段差、すきま等が発生する。
【０００４】
特許文献１には、アルミニウムの押出加工により形成される４本のフレーム部材を矩形状に連結して構成するテレビジョン受信装置のキャビネットが記載されている。各フレーム部材の端部は、フレーム部材の長手方向に対して、直角となっている。隣接する２つのフレーム部材を連結する際には、一方のフレーム部材の端面と他方のフレーム部材の内面とを突き合わせ、突き合わせ部分にコーナーブラケット（Ｌ字型連結金具の側面に三角形の部材を設けたもの）を当てて固定していることが、記載されている。
【０００５】
特許文献２には、フロントキャビネットと、リアキャビネットとを備えたテレビジョン受信装置において、リアキャビネットは４つのフレーム部材を矩形状に繋ぎ合わせていることが記載されている。各フレーム部材の端面はフレーム部材の長手方向に対して約４５度に傾いている。フレーム部材には、該フレーム部材の長手方向に沿って延び、フレーム部材の一端から他端まで凹溝が形成されている。両フレーム部材を連結する場合には、隣り合うフレーム部材の凹溝に、略Ｌ字形の連結金具を差し込み、２つのフレーム部材の端面を突き合わせ、ネジ止めして固定することが、記載されている。
【先行技術文献】
【特許文献】
【０００６】
【特許文献１】特開２００２−１９０９９７号公報
【特許文献２】特開２００８−１３６０６８号公報
【発明の概要】
【発明が解決しようとする課題】
【０００７】
しかしながら、上述のキャビネットでは、隣接する２つのフレーム部材の接触面は平面であり、なおかつフレーム部材の位置を連結金具のみで規制するため、２つのフレーム部材の連結部に段差、すきまが生じやすい。
段差やすきまが生じると、キャビネットの見栄が悪くなり、商品価値の低下を招く。そのため、キャビネットの組み立てには、手間を要していた。
【０００８】
本発明はかかる事情に鑑みてなされたものであり、フレーム部材同士の連結部の段差、すきまを、より少なくしたキャビネットを備える表示装置及びテレビジョン受信装置を提供することを目的とする。
【課題を解決するための手段】
【０００９】
本発明に係る表示装置は、画像を表示する表示パネルと、該表示パネルの周縁部を覆う矩形枠状のキャビネットとを備える表示装置において、前記キャビネットは、矩形枠の各辺を構成する部材の端部同士を突き合わせて連結して構成してあり、各部材の端部は板状部分を含み、該板状部分は板幅よりも幅狭な厚肉部を有し、該厚肉部には、相互に係合して夫々の部材の相対移動を規制する規制部が設けてあり、該規制部は、一方の部材に設けられ、前記端部から長手方向に突出し、夫々突出長又は先端形状が異なる複数の突起部及び、他方の部材に設けられ、前記複数の突起部夫々の差し込みが可能に設けられた複数の穴部とを有することを特徴とする。
【００１０】
本発明にあっては、一方の部材に設けられた複数の突起部と、他方の部材に設けられた複数の突起受け部とが係合することにより、夫々の部材の相対移動を規制する。それにより、キャビネットを構成する部材同士の連結部分の段差、すきまを、より小さくすることが可能となる。
【００１７】
本発明に係る表示装置は、前記他方の部材は、前記端部から長手方向に突出する第２突起部を更に備え、前記一方の部材は、前記第２突起部と係合する第２突起受け部とを更に備えることを特徴とする。
【００１８】
本発明にあっては、前記他方の部材は第２突起部を更に備え、前記一方の部材は第２突起部と係合する第２突起受け部を備えるので、より確実に部材同士の連結部分の段差、すきまを、より小さくすることが可能となる。
【００１９】
本発明に係る表示装置は、画像を表示する表示パネルと、該表示パネルの周縁部を覆う矩形枠状のキャビネットとを備える表示装置において、前記キャビネットは、矩形枠の各辺を構成する部材の端部同士を突き合わせて連結して構成してあり、各部材の端部には、相互に係合して夫々の部材の相対移動を規制する規制部が設けてあり、該規制部は、一方の部材に設けられ、前記端部から長手方向に突出し、先端に二股部を有する突起部と、他方の部材に設けられ、前記突起部の差し込みが可能な孔部を有し、前記突起部は、前記孔部を貫通してあり、前記孔部より突出してある前記二股部の一方と他方との離隔長は、前記孔部の寸法よりも大きい部分を含むことを特徴とする。
【００２０】
本発明にあっては、突起部は、孔部を貫通してあり、孔部より突出してある二股部の一方と他方との離隔長は、孔部の寸法よりも大きい部分を含んでいるので、連結金具やネジといった固定用部品を用いずに突起部を突起受け部に固定することが可能となる。それにより、部品点数の低減、組立て工数の低減を図ることが可能となる。
【００２１】
本発明に係るテレビジョン受信装置は、上述の表示装置と、テレビジョン放送を受信する受信部とを備え、該受信部にて受信したテレビジョン放送に基づいて、前記表示装置に画像を表示するようにしてあることを特徴とする。
【００２２】
本発明にあっては、一方の部材に設けられた複数の突起部と、他方の部材に設けられた複数の突起受け部とが係合することにより、夫々の部材の相対移動を規制する。それにより、キャビネットを構成する部材同士の連結部分の段差、すきまを、より小さくすることが可能となる。
【発明の効果】
【００２３】
本発明によれば、一方の部材に設けられた複数の突起部と、他方の部材に設けられた複数の突起受け部とが係合することにより、夫々の部材の相対移動を規制する。それにより、キャビネットを構成する部材同士の連結部分の段差、すきまを、より小さくすることが可能となる。
【図面の簡単な説明】
【００２４】
【図１】実施の形態１に係るテレビジョン受信装置の一構成例を示す外観斜視図である。
【図２】図１におけるＩＩ−ＩＩ線による断面のうち要部を拡大した断面簡略図である。
【図３】フロントキャビネットを構成するフレーム部材の端部形状の一例を示す斜視図である。
【図４】フロントキャビネットを構成するフレーム部材の端部形状の一例を示す斜視図である。
【図５】２つのフレーム部材の連結状態を示す斜視図である。
【図６】２つのフレーム部材の連結状態を示す斜視図である。
【図７】実施の形態２に係るフロントキャビネットを構成するフレーム部材の端部形状の一例を示す斜視図である。
【図８】実施の形態３に係るフロントキャビネットを構成するフレーム部材の端部形状の一例を示す斜視図である。
【図９】実施の形態４に係るフロントキャビネットを構成するフレーム部材の端部形状の一例を示す斜視図である。
【図１０】実施の形態４に係るフロントキャビネットを構成するフレーム部材の端部形状の一例を示す斜視図である。
【図１１】２つのフレーム部材の連結状態を示す斜視図である。
【発明を実施するための形態】
【００２５】
以下に、本発明の実施の形態に係る表示装置を、テレビジョン受信装置を例として説明する。
実施の形態１
図１は、実施の形態１に係るテレビジョン受信装置の一構成例を示す外観斜視図である。図２は、図１におけるＩＩ−ＩＩ線による断面のうち要部を拡大した断面簡略図である。図２においては主要部品の位置関係を示すのが目的であるので、記載を簡略化している。テレビジョン受信装置は、表示パネルユニット１、ベゼル２、フロントキャビネット３、リアキャビネット４、スタンド５、チューナ部６（受信部）、及び信号処理部７を備えている。
【００２６】
表示パネルユニット１は、矩形状の液晶パネルを備え、液晶への印加電圧を制御して光の透過率を調整し、映像を前面に表示するように構成されている。
ベゼル２は、矩形の枠状をなし、表示パネルユニット１の周縁部を覆うように配置されている。ベゼル２は、表示パネルユニット１の上方、下方、及び正面を支持し、表示パネルユニット１を固定している。
【００２７】
フロントキャビネット３は、矩形の枠状をなし、ベゼル２の周縁部を覆うように配置されている。フロントキャビネット３は、ベゼル２を介して表示パネルユニット１を固定している。
リアキャビネット４は、一面が開口された箱体状をなしている。リアキャビネット４は、表示パネルユニット１の背面を覆うようにして、フロントキャビネット３に固定されている。
【００２８】
スタンド５は、テレビジョン受信装置を台などに載置する場合に用いる。チューナ部６は、テレビジョン放送を受信し、放送信号を取り出す。信号処理部７は、放送信号から画像情報及び音声情報を取り出し、取り出した画像情報を基に、表示パネルユニット１の備える表示パネルに画像を表示させる。信号処理部７は、取り出した音声情報を図示しないスピーカより出力させる。
【００２９】
次にフロントキャビネット３について詳述する。フロントキャビネット３は各辺を構成する４つのフレーム部材を備えている。各辺を構成する部材は端部同士を突き合わせて、連結金具にて連結してある。ここでは、４つのフレーム部材のうち、２つのフレーム部材について説明する。残りの２つのフレーム部材は、以下に説明するフレーム部材と同様な構成であるので、説明を省略する。
【００３０】
図３及び図４は、フロントキャビネット３を構成するフレーム部材３１、３２の端部形状の一例を示す斜視図である。図５及び図６は、２つのフレーム部材３１、３２の連結状態を示す斜視図である。
図３Ａに示すように、フレーム部材３２は穴部３２ａ、３２ｂを備えている。図３Ｂ及び図４Ｂに示すように、フレーム部材３１は、突起部３１ａ、３１ｂを備えている。
【００３１】
フレーム部材３１、３２は、例えば、アルミニウムを押し出し加工することにより形成される棒状の部材であり、その断面は略Ｌ字型である。フレーム部材３１の幅広の板状部分３１ｄには幅全体の１／２程度の幅を持つ厚肉部３１ｃが設けてある。
フレーム部材３１の端部は、幅広の板状部分３１ｄを所定の角度（４５度程度）で斜めに切断してある。残った厚肉部３１ｃにより、フレーム部材の長手方向に突出する突起部３１ａ、３１ｂを形成してある。突起部３１ａ及び３１ｂの突出長は、突起部３１ｂの方が、突起部３１ａよりも長くなっている。
【００３２】
同様にフレーム部材３２の端部はフレーム部材３１と同様な角度でカットしてある。
厚肉部３２ｃには、端部から長手方向に延びる穴部３２ａが形成してある。穴部３２ａは断面が略矩形状であり、厚肉部３２ｃの断面と相似形となっている。また、厚肉部３２ｃの側面の壁を切り欠いて穴部３２ｂが形成してある。穴部３２ｂは、フレーム部材３２の端部から所定の距離をおいて、形成してある。穴部３２ｂは、厚肉部３２ｃの内部で、穴部３２ａと連通している。
穴部３２ａ、３２ｂの厚み方向の寸法は、突起部３１ａ、３１ｂの厚み寸法と略同一としてある。
【００３３】
フレーム部材３１とフレーム部材３２との連結は以下のようにして行う。フレーム部材３２の突起部３１ａをフレーム部材３２の穴部３２ａと嵌合させる。突起部３１ｂを穴部３２ｂと嵌合させる。フレーム部材３１とフレーム部材３２とが結合した状態を示しているのが、図５及び図６である。図５は、結合状態をテレビジョン受信装置の内部側から見た図である。図６は、テレビジョン受信装置の外観側から見た図である。フレーム部材３１とフレーム部材３２は、連結金具をネジで固定することにより、互いを固定する。
【００３４】
突起部３１ａ及び穴部３２ａが嵌合し、突起部３１ａの端面と厚肉部３２ｃ側面の壁とが接するため、フレーム部材３１の長手方向の動きが規制される。
突起部３１ｂ及び穴部３２ｂが嵌合し、突起部３１ｂの側面と穴部３２ｂの側壁（フレーム部材３２の長手方向と直角な面）とが接することにより、フレーム部材３２の長手方向の動きが規制される。
以上により、フレーム部材３１及び３２は長手方向の動きを相互に規制する。
【００３５】
また、突起部３１ａ及び穴部３２ａが嵌合することにより、突起部３１ａの幅広の面と、穴部３２ａの壁面である厚肉部３２ｃの幅広の面とが、接する。そのため、フレーム部材３１及びフレーム部材３２は、厚肉部３２ｃの幅広の面の法線方向に動くことを互いに規制する。それにより、フレーム部材３１及びフレーム部材３２の接合部３３の段差を小さくすることが可能となる。
さらに、突起部３１ｂ及び穴部３２ｂが嵌合することにより、突起部３１ｂの側面と穴部３２ｂの側壁とが、接する。また、突起部３１ａの先端と穴部３２ａの幅の狭い壁（フレーム部材３２の長手方向と平行な面）とが、接する。それにより、フレーム部材３１及びフレーム部材３２が、板状部分３１ｄ及び板状部分３２ｄと平行な平面内で回転することを互いに規制する。従って、フレーム部３１及びフレーム部３２の接合部３３のすきまを、より小さくすることが可能となる。
【００３６】
上述の説明においては、フレーム部材３１の一端と、フレーム部材３２の一端とを連結する例を示した。フレーム部材３１及びフレーム部材３２と同様なフレーム部材を更に一組用意する。それらの部材間又はそれら部材とフレーム部材３１の他端又はフレーム部材３２の他端についても、上述と同様に連結することにより、矩形状のフロントキャビネット３を形成することが可能となる。
【００３７】
なお、上述の説明においては、突起部３１ｂと穴部３２ｂの組み合わせは、一組のみ形成しているが、それに限られず、複数組設けても良い。
また、フレーム部材３１及びフレーム部材３２の両方に突起部、穴部を設けても良い。
【００３８】
実施の形態２
図７は、実施の形態２に係るフロントキャビネット３を構成するフレーム部材３４、３５の端部形状の一例を示す斜視図である。図７Ａは、端部をテレビジョン受信装置の内部側から見た図である。図７Ｂは、端部をテレビジョン受信装置の外観側から見た図である。
図７Ａ、７Ｂに示すように、フレーム部材３４は、凹部３４ａ及び凸部３４ｂ、３４ｃを備えている。図７Ａに示すように、フレーム部材３５は、凸部３５ａ及び凹部３５ｂ、３５ｃを備えている。
【００３９】
フレーム部材３４は、例えば、アルミニウムを押出加工することにより形成される棒状の部材であり、その断面は略Ｌ字型である。フレーム部材３４の端部は、幅広の板状部分３４ｄの厚みの約１／２を所定の角度（４５度程度）で斜めに切断してある。残りの厚み部分により、凸部３４ｂ、３４ｃを形成してある。凸部３４ｂ、３４ｃは略三角形状である。凸部３４ｂは、長手方向に平行な辺、該辺に連なり該辺と直角をなす辺、２つの辺を結ぶ板状部分３４ｄの切断線と平行な辺とからなる。凸部３４ｃも、同様である。凸部３４ｂ、３４ｃの間には、板状部分３４ｄの厚みの約１／２程度の深さを持つ凹部３４ａが形成してある。凹部３４ａは、略台形状である。凹部３４ａの平行な２辺のうち、一方の辺は板状部分の切断線であり、他方の辺は、それに平行な辺である。残りの２辺うち一方の辺は、長手方向の平行な辺であり、凸部３４ｂの一辺と連なっている。他方の辺は、長手方向と直角な辺であり、凸部３４ｃの一辺と連なっている。
【００４０】
フレーム部材３５も同様であり、押出し加工により形成されている。フレーム部材３５の端部は、幅広の板状部分３５ｄの厚みの約１／２を所定の角度（４５度程度）で斜めに切断してある。残りの厚み部分により、凸部３５ａを形成してある。凸部３５ａの形状は、略台形状である。凸部３５ａの両脇には、板状部分３５ｄの厚みの約１／２程度の深さを持つ凹部３５ｂ、３５ｃが形成してある。凹部３５ｂ、３５ｃの形状は、略三角形状である。
【００４１】
フレーム部材３５に形成された凸部３５ａ、凹部３５ｂ、３５ｃは、それぞれ、フレーム部材３４に形成された凹部３４ａ、凸部３４ｂ、３４ｃと、同様な形状となっており、フレーム部材３４とフレーム部材３５とが結合する際には、それぞれが嵌合するようにしてある。
【００４２】
本実施の形態においては、凸部３４ｂ、３４ｃの先端の一辺は、フレーム部材３４の長手方向と直角な辺となっているので、凸部３４ｂ、３４ｃがそれぞれ凹部３５ｂ、３５ｃと嵌合することにより、フレーム部材３４の長手方向の動きを規制することが可能となる。一方、フレーム部材３５の凹部３５ｂ、３５ｃの一辺が長手方向と直角な辺となっているので、凹部３５ｂ、３５ｃがそれぞれ凸部３４ｂ、３４ｃと嵌合することにより、フレーム部材３５の長手方向の動きを規制することが可能となっている。
以上により、フレーム部材３４、３５は、長手方向の動きを相互に規制する。
【００４３】
また、フレーム部材３４及びフレーム部材３５の両方に凸部及び凹部を端部に沿って互い違いに形成してある。そのことにより、フレーム部材３４及びフレーム部材３５は、板状部分３４ｄ及び３５ｄと平行な面の法線方向への動きを互いに規制し合う。従って、フレーム部材３４及びフレーム部材３５の接合部の段差を、より小さくすることが可能となる。
【００４４】
本実施の形態においても、実施の形態１と同様に、フレーム部材３４及びフレーム部材３５と同様な部材を更に一組用意し、それらの部材も同様に連結することにより、矩形状のフロントキャビネット３を構成することが可能となる。
【００４５】
実施の形態３
図８は、実施の形態３に係るフロントキャビネット３を構成するフレーム部材の端部形状の一例を示す斜視図である。図８Ａは、端部をテレビジョン受信装置の内部側から見た図である。図８Ｂは、端部をテレビジョン受信装置の外観側から見た図である。
図８Ａ、８Ｂに示すように、フレーム部材３６は、凹部３６ａ、凸部３６ｂ及び３６ｃを備えている。図８Ａに示すように、フレーム部材３７は、凸部３７ａ、凹部３７ｂ及び３７ｃを備えている。
【００４６】
本実施の形態におけるフレーム部材３６、３７と、上述のフレーム部材３４、３５とは、凸部及び凹部の形状が異なり、その他の部分については、同様であるので、相違する点を主に説明する。
【００４７】
フレーム部材３６の凹部３６ａ及びフレーム部材３７の凸部３７ａは、それぞれ略平行四辺形状である。フレーム部材３６の凸部３６ｂ及びフレーム部材３７の凹部３７ｂは、それぞれ略三角形状である。フレーム部材３６の凸部３６ｃ及びフレーム部材３７の凹部３７ｃは、それぞれ略台形状である。
フレーム部材３６の凸部３６ａは、長手方向に平行な２辺と、板状部分３６ｄの切断線と平行な２辺とからなる。長手方向に平行な２辺の一方は、突起部３６ｂの一辺と略同一であり、他方は突起部３６ｃの一辺と略同一である。
フレーム部材３６の凸部３６ｂは、長手方向に平行な辺、該辺に連なり該辺と直角をなす辺、２つの辺を結ぶ板状部分３６ｄの切断線と平行な辺とからなる。
凸部３６ｃは、長手方向に平行な２辺と、長手方向と直角をなす辺と、板状部分３６ｄの切断線と平行な辺とからなる。
【００４８】
フレーム部材３７に形成された凸部３７ａ、凹部３７ｂ、３７ｃは、それぞれ、フレーム部材３６に形成された凹部３６ａ、凸部３６ｂ、３６ｃと、同様な形状となっており、フレーム部材３６とフレーム部材３７とが結合する際には、それぞれが嵌合するようにしてある。
【００４９】
本実施の形態において、フレーム部材３６の凸部３６ｂ、３６ｃは、長手方向に平行な辺及び長手方向に直角な辺を備えている。凹部３６ａに長手方向に平行な辺を備えている。フレーム部材３７の凹部３７ｂ、３７ｃは、長手方向に平行な辺及び長手方向に直角な辺を備えている。凸部３７ａに長手方向に直角な辺を備えている。
フレーム部材３６の凹部３６ａ及び凸部３６ｂ、３６ｃと、フレーム部材３７の凸部３７ａ及び凹部３７ｂ、３７ｃが、それぞれ嵌合する。それにより、凸部及び凹部の長手方向に直角又は平行な辺が接することにより、フレーム部材３６、３７は、長手方向の動きを相互に規制する。
【００５０】
また、フレーム部材３６及びフレーム部材３７の両方に凸部、凹部を端部に沿って互い違いに形成してある。そのことにより、フレーム部材３６及びフレーム部材３７は、板状部分３６ｄ、３７ｄを含む平面に対して直角方向の動きを互いに規制し合うので、フレーム部材３６及びフレーム部材３７の接合部の段差を、より小さくすることが可能となる。
【００５１】
また、凹部３７ｃは、フレーム部材３７の長手方向に対して直角の方向に伸びる壁面を備え、該壁面はフレーム部材３６の凸部３６ｃの側面と接する。それにより、フレーム部材３６及び３７がフレームの板状部分３６ｄ、３７ｄを含む平面内で回転することを互いに規制する。従って、フレーム部材３６、３７のすきまを、より小さくすることが可能となる。
【００５２】
本実施の形態においても、実施の形態１又は実施の形態２と同様に、フレーム部材３６及びフレーム部材３７と同様な部材を更に一組用意し、それらの部材も同様に連結することにより、矩形状のフロントキャビネット３を構成することが可能となる。
【００５３】
実施の形態４
図９及び図１０は、実施の形態４に係るフロントキャビネット３を構成するフレーム部材の端部形状の一例を示す斜視図である。図１１は、２つのフレーム部材３８、３９の連結状態を示す斜視図である。図９Ａに示すように、フレーム部材３９は穴部３９ａ、３９ｂ（孔部）を備えている。図９Ｂ及び図１０Ｂに示すように、フレーム部材３８は、突起部３８ａ、３８ｂ（二股部）を備えている。
【００５４】
フレーム部材３８、３９は、例えば、アルミニウムを押し出し加工することにより形成される棒状の部材であり、その断面は略Ｌ字型である。フレーム部材３８の幅広の板状部３８ｅには幅全体の１／２程度の幅を持つ厚肉部３８ｄが設けてある。
フレーム部材３８の端部は、幅広の板状部３８ｅを所定の角度（４５度程度）で斜めに切断してある。残った厚肉部３８ｄにより、フレーム部材３８の長手方向先端には二股状の突起部３８ａ、３８ｂを形成してある。突起部３８ａ及び３８ｂの突出長、幅は略同一である。また、突起部３８ａは厚肉部３８ｄの一方の外縁より形成してあるが、突起部３８ｂは厚肉部３８ｄの他方の外縁より所定の距離をおいて、形成してある。それにより、突起部３８ａ、３８ｂよりも突出長の短い突起部３８ｃが形成される。
【００５５】
フレーム部材３９の端部はフレーム部材３８と同様な角度でカットしてある。フレーム部材３９の幅広の板状部３９ｄには幅全体の１／２程度の幅を持つ厚肉部３９ｃが設けてある。
厚肉部３９ｃには、端部から長手方向に延びる穴部３９ａが形成してある。穴部３９ａは断面が略矩形状であり、厚肉部３９ｃの断面と相似形となっている。また、厚肉部３９ｃの側面の壁を切り欠いて穴部３９ｂが形成してある。穴部３９ｂは、フレーム部材３９の端部から所定の距離をおいて、形成してある。穴部３２ｂは、厚肉部３９ｃの内部で穴部３９ａと連通している。
穴部３９ａ、３９ｂの厚み方向の寸法は、突起部３８ａ、３８ｂの厚み寸法と略同一としてある。
【００５６】
フレーム部材３８とフレーム部材３９との連結は以下のようにして行う。フレーム部材３８の突起部３８ａ、３８ｂ、３８ｃをフレーム部材３９の穴部３９ａに差し込む。突起部３８ｃはフレーム部材３９の厚肉部３９ｃの側面の壁と当接させる。突起部３８ａ、３８ｂはフレーム部材３９の穴部３９ｂと嵌合させる。フレーム部材３８及び３９が嵌合した状態を示したのが、図１１Ａである。
【００５７】
図１１Ａは、フレーム部材３８及び３９が単に嵌合した状態であり、互いは固定されていない。フレーム部材３８及び３９を固定するために、フレーム部材３８の突起部３８ａ、３８ｂを互いが離れる方向に曲げる。曲げた状態を示しているのが、図１１Ｂである。突起部３８ｂ、３８ｃを曲げるのには、ドライバ等の工具を用いれば良い。
【００５８】
突起部３８ｃ及び孔部３９ａが嵌合し、突起部３８ｃの端面と厚肉部３９ｃ側面の壁とが接するため、フレーム部材３８の長手方向の動きが規制される。
突起部３８ａ及び３８ｂ並びに穴部３９ｂが嵌合し、突起部３８ｂの側面に面していない突起部３８ａの側面と穴部３９ｂとが、突起部３８ａの側面に面していない突起部３８ｂの側面と穴部３９ｂとが接する。そして、突起部３８ａ、突起部３８ｂは、互いに離れる方向に曲げてある。突起部３８ａと突起部３８ｂとの間隔は、穴部３９ｂの寸法よりも大きくしてあるので、突起部３８ａ、３８ｂは穴部３９ｂに固定されている。すなわち、突起部３８ａ（二股部の一方）と突起部３８ｂ（二股部の他方）との間隔（離隔長）は、穴部３９ｂ（孔部）の寸法よりも大きい部分がある。これにより、フレーム部材３９の長手方向の動きが規制される。
【００５９】
また、突起部３８ｃ及び穴部３９ａが嵌合することにより、突起部３８ｃの幅広の面と、穴部３９ａの壁面である厚肉部３９ｃの幅広の面とが、接する。そのため、フレーム部材３８及びフレーム部材３９は、厚肉部３９ｃの幅広の面の法線方向に動くことを互いに規制する。それにより、フレーム部材３８及びフレーム部材３９の接合部の段差を小さくすることが可能となる。
さらに、突起部３８ａ及び３８ｂ並びに穴部３９ｂが嵌合することにより、突起部３８ａ及び３８ｂの側面と穴部３９ｂの側壁とが、接する。また、突起部３８ｃの先端と穴部３９ａの幅の狭い壁（フレーム部材３９の長手方向と平行な面）とが、接する。それにより、フレーム部材３８及びフレーム部材３９が、板状部３８ｅ及び板状部３９ｄと平行な平面内で回転することを互いに規制する。従って、フレーム部３８及びフレーム部３９の接合部のすきまを、より小さくすることが可能となる。
【００６０】
なお、上述の説明において、規制部を、突起部又は凸部及び穴部又は凹部としたが、相互に係合することにより、フレーム部材の相対移動を規制できるものであれば、他の形状であっても良い。
【００６１】
また、上述の説明において、フレーム部材３１及び３２、３４及び３５、３６及び３７、並びに３８及び３９を構成する材質は、アルミニウムとしたが、それに限られない。押し出し加工に適している金属、マグネシウム合金、銅、鋼、チタン、ニッケルなどを採用しても良い。
【００６２】
さらに、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００６３】
１  表示パネルユニット
２  ベゼル
３  フロントキャビネット
４  リアキャビネット
３１、３２  フレーム部材
３１ａ、３１ｂ  突起部
３１ｃ  厚肉部
３２ａ、３２ｂ  穴部
３２ｃ  厚肉部
３３  接合部
３４、３５  フレーム部材
３４ａ  凹部
３４ｂ、３４ｃ  凸部
３５ａ  凸部
３５ｂ、３５ｃ  凹部
３６、３７  フレーム部材
３６ａ  凹部
３６ｂ、３６ｃ  凸部
３７ａ  凸部
３７ｂ、３７ｃ  凹部
３８、３９  フレーム部材
３８ａ、３８ｂ、３８ｃ  突起部
３８ｄ  厚肉部
３８ｅ  板状部
３９ａ、３９ｂ  穴部
３９ｃ  厚肉部
３９ｄ  板状部
【図１】
0005296905.tif 000002
【図２】
0005296905.tif 000003
【図３】
0005296905.tif 000004
【図４】
0005296905.tif 000005
【図５】
0005296905.tif 000006
【図６】
0005296905.tif 000007
【図７】
0005296905.tif 000008
【図８】
0005296905.tif 000009
【図９】
0005296905.tif 000010
【図１０】
0005296905.tif 000011
【図１１】
0005296905.tif 000012